(57)【要約】 本発明は、マスカラブラシに関し、より詳しくは、ブラシ棒の先端部に三角形と似ている楕円形のディスクを各々１２０度回転させ連続配置し積層したような形状でブラシ部を一体成形したディスクタイプのマスカラブラシとして、ディスクタイプのマスカラブラシにマスカラ液をつけてまつげを化粧できるようにするマスカラブラシに関する。本発明は、ブラシ棒２０の一端部にブラシ部１０を形成し、ブラシ棒２０の他端部にはマスカラ蓋３０を形成し、ブラシ棒２０の先端部にディスクを積層したような形状でブラシ部１０を成形したディスクタイプのマスカラブラシにおいて、ブラシ部１０は、一体に成形され、形態は、三角形と似ている楕円形板クシ歯１２を各々１２０度回転させ連続配列し積層したような形状で成形して構成される。ブラシ部１０は、板クシ歯１２を各々１２０度回転させ連続配列し積層したような形状で成形したので、図２と図３に示したように、ブラシ部１０の外周面に板クシ歯１２が突き出された部分にはクシ歯突出部１４が形成され、板クシ歯１２が凹入された部分にはクシ歯凹入部１６が形成され、隣り合う２つの板クシ歯１２の間には板クシ歯隙間１８が形成される。【選択図】図５
2008532615.tif 000002
【特許請求の範囲】
【請求項１】
ブラシ棒（２０）の一端部にブラシ部（１０）を形成し、前記ブラシ棒（２０）の他端部にはマスカラ蓋（３０）を形成し、前記ブラシ棒（２０）の先端部にディスクを積層したような形状で前記ブラシ部（１０）を成形したディスクタイプのマスカラブラシであって、
前記ブラシ部（１０）は、一体で成形され、三角形と似ている楕円形の板クシ歯（１２）を各々１２０度回転させた状態で連続配列し積層したような形状で前記ブラシ部（１０）が成形され、外周面に前記板クシ歯（１２）が突き出されたクシ歯突出部（１４）と前記板クシ歯（１２）が凹入されたクシ歯凹入部（１６）とが形成され、隣り合う２つの前記板クシ歯（１２）の間には板クシ歯隙間（１８）が形成されることを特徴とする
マスカラブラシ。
【請求項２】
前記板クシ歯（１２）の形状は、三角形と似ている楕円形、または三角形、または楕円形の形状であることを特徴とする、請求項１に記載のマスカラブラシ。
【請求項３】
前記板クシ歯（１２）の配列角度は、９０度または１２０度であることを特徴とする、請求項１に記載のマスカラブラシ。
【請求項４】
前記板クシ歯隙間（１８）の角度ａは、５度から３０度の範囲以内で形成することを特徴とする、請求項１に記載のマスカラブラシ。
【請求項５】
前記ブラシ部（１０）は、シリコンラバー(Ｓｉｌｉｃｏｎ Ｒｕｂｂｅｒ)、ゴム、ナイロン、ポリエチレン、ポリプロピレンで製造されることを特徴とする、請求項１に記載のマスカラブラシ。
【発明の詳細な説明】
【技術分野】
【０００１】
本発明は、マスカラブラシに関し、より詳しくは、ブラシ棒の先端部に三角形と似ている楕円形ディスクを各々１２０度回転させ連続配置し積層したような形状でブラシ部を一体成形したディスクタイプのマスカラブラシとして、ディスクタイプのマスカラブラシにマスカラ液をつけてまつげに塗布することにより化粧するマスカラブラシに関する。
【背景技術】
【０００２】
一般的に、マスカラは、一定粘度及び色彩を有するマスカラ液を貯蔵する容器と、上記容器内のマスカラ液をつけてまつげに塗布するマスカラブラシと、上記マスカラブラシと結合された蓋と、で構成される。
【０００３】
従来のマスカラブラシには、ブラシ棒の先端部に多数の合成樹脂毛を二本の鉄心で捩ることで形成した毛ブラシと、ブラシ棒の先端部にディスクを積層したような形状でブラシ部を成形したディスクタイプのマスカラブラシとがある。
【０００４】
上記従来の毛ブラシは、合成樹脂毛を鉄心で捻って製造するので、その作業が複雑で生産性が低下されるだけではなく、一定の品質を維持しにくい短所を有している。また、上記従来のディスクタイプのマスカラブラシは、実用新案公開昭５９−８５１１３号公報、アメリカ特許登録ＵＳ６,５９１,８４２号公報、大韓民国特許公開第２００２−００９５１５７号公報に開示されているように、ブラシを合成樹脂材またはゴム材などで一体に成形して生産性が高くて一定な品質を維持することは容易であるが、毛ブラシよりはまつげのカール能力が劣るので、まつげが短くて髪の毛が少ない東洋人には広く普及されていない実情である。
【０００５】
上記従来のディスクタイプのマスカラブラシは、主にシリコンラバー(Ｓｉｌｉｃｏｎ Ｒｕｂｂｅｒ)で製造してまつげに刺激が少なく、使用感が毛ブラシより優秀である。しかし、マスカラブラシの各板クシ歯の中心軸が全てブラシ棒の中心軸と同一であり、各板クシ歯のサイズが全て同一であるので、従来のディスクタイプのマスカラブラシを利用してまつげにマスカラ液を塗布しながらカールするとき、上記マスカラブラシの各板クシ歯がまつげの間に挿入しきらない状態でカールするようになるので、まつげのカール形成が容易ではないだけではなく、まつげがお互いに固まる現象が発生する。
【発明の開示】
【発明が解決しようとする課題】
【０００６】
したがって、本発明は上述したような従来技術の問題点を解決するためになされたもので、その目的は、まつげへの刺激を最小化しながらマスカラブラシの板クシ歯がまつげの間に円滑に挿入されるようにし、まつげのカール(Ｃｕｒｌｉｎｇ)が円滑であり、まつげをきちんと整列すると同時に自然なまつげ化粧を可能とし、ブラシ部を一体で成形することで製造を簡便にして生産性を極大化させるとともに一定の品質を維持することができるようにしたまつげ化粧用マスカラブラシを提供することにある。
【課題を解決するための手段】
【０００７】
上記目的を達成するための本発明によるマスカラブラシは、ブラシ棒の先端部にディスクを積層したような形状でブラシ部を成形したディスクタイプのマスカラブラシであって、ブラシ部は、一体で成形され、ブラシ部の形態は、三角形と似ている楕円形の板クシ歯を各々１２０度ずつ回して連続して積層したような形状で成形していることを特徴とする。
【０００８】
本発明に係る前述した課題を解決するための手段の説明と後述する実施形態の説明は、例示であり、説明を目的とするものであり、本発明のさらなる説明を提供することを意図していることを理解すべきである。
【発明の効果】
【０００９】
本発明によれば、ブラシ部を一体で成形することで簡便に製造することにより、生産性が極大化されるとともに一定の品質を維持することができるので、原価を節減するとともに消費者の信頼を得ることができ、柔らかで弾力的なシリコンラバーのような材質で製造するのでまつげへの刺激を最小化することができる。また、本発明は、三角形と似ている楕円形の板クシ歯を各々１２０度回転させ連続配置し積層したような形状でブラシ部を形成することにより、クシ歯突出部の間にクシ歯凹入部が形成されてマスカラ液をまつげに充分に塗ることができ、クシ歯突出部がまつげの間に円滑に浸透してくしけずることができるので、まつげのカールが円滑であり、まつげが固まることがなく自然なまつげ化粧が可能とする非常に有益な発明である。
【発明を実施するための最良の形態】
【００１０】
以下、本発明の好ましい実施の形態について、添付図面を参照しつつ詳細に説明する。
【００１１】
図２は、本発明によるマスカラブラシの正面図であり、図３は、本発明によるマスカラブラシの側面図であり、図４は、本発明によるマスカラブラシの平面図であり、図５は、本発明によるマスカラブラシの斜視図であり、図６は、本発明によるマスカラブラシの縦断面図であり、図７は、本発明の他の実施例を例示した板クシ歯の平面図であり、図８は、本発明のまた他の実施例を例示した板クシ歯の平面図である。
【００１２】
図面に示したように、本発明は、ブラシ棒２０の一端部にブラシ部１０を形成してブラシ棒２０の他端部にはマスカラ蓋３０を形成し、ブラシ棒２０の先端部にディスクを積層したような形状でブラシ部１０を成形したディスクタイプマスカラブラシであって、ブラシ部１０を一体に成形するが、ブラシ部１０の形態は、三角形と似ている楕円形の板クシ歯１２を各々１２０度回転させ連続配列し積層したような形状で成形して構成される。
【００１３】
板クシ歯１２の配列角度である１２０度は、板クシ歯１２がまつげを円滑にくしけずることができる角度であり、板クシ歯１２の配列角度を９０度に変更して実施した結果、本発明と同様の効果を得た。したがって、本発明の板クシ歯１２の配列角度は９０度または１２０度が望ましい。
【００１４】
ブラシ部１０を形成している板クシ歯１２の形状は、図４に示したように、本発明では三角形と似ている楕円形状で図示したが、これは本発明を説明するための一実施例に過ぎないので、三角形と似ている楕円形に限定されず、本発明の技術的思想を表現することができる形状であれば、図７に示したように、三角形または、図８に示したように、楕円形の形状も含まれることは勿論である。更に、本発明において、板クシ歯１２の各板の形状の説明は、板クシ歯１２の各板が独立的に分離されていることを意味するのではなく、本発明のブラシ部１０の形状の理解を助けるためのものである。各板クシ歯１２は独立的に分離されたのではなく、図６に示したように、全て一体に成形されている。
【００１５】
また、ブラシ部１０の材質は、シリコンラバー、ゴム、ナイロン、ポリエチレン、ポリプロピレンなどで製造でき、この中で柔らかで弾力的なシリコンラバーで製造することが最も望ましい。
【００１６】
ブラシ部１０は、三角形と似ている楕円形の板クシ歯１２を各々１２０度回転させ連続配列し積層したような形状で成形しているので、図２と図３に示したように、ブラシ部１０の外周面に板クシ歯１２が突き出された部分にはクシ歯突出部１４が形成され、板クシ歯１２が凹入された部分にはクシ歯凹入部１６が形成される。また、隣り合う２つの板クシ歯１２の間には板クシ歯隙間１８が形成される。
【００１７】
このように構成された本発明によるマスカラブラシの作用について説明すれば、次のようである。
【００１８】
本発明のマスカラブラシは、上述したように、外周面にクシ歯突出部１４とクシ歯凹入部１６が形成されているので、本発明のマスカラブラシを利用してまつげ化粧をするためにマスカラ容器の液をつける際に、正面図上のクシ歯突出部１４とクシ歯突出部１４との間のクシ歯凹入部１６にはマスカラ液が充分に付けることができるので、これを利用してまつげにマスカラ液を塗布しクシ歯突出部１４を利用してまつげをカールする。クシ歯突出部１４によってまつげの間に円滑に挿入できるので、短くて髪の毛が少ない東洋人のまつげにおいてもまつげの豊かなボリュームとカールの演出が可能である。
【００１９】
さらに、本発明では隣り合う２つの板クシ歯１２の間にさらに細く鋭い角度の板クシ歯隙間１８が形成されているので、本発明のマスカラブラシを利用してまつげを化粧する際にくしけずるときに、まつげの毛が板クシ歯隙間１８に一つずつ挿入されてくしけずりながら持ち上げることにより、非常に優秀なまつげのカール効果を得られる。ここで、板クシ歯隙間１８の角度ａは、５度から３０度の範囲以内が適当であり、より好ましくは、７度から２０度の範囲以内が最も望ましい。もし、板クシ歯隙間１８の角度ａが３０度を超過する場合には、まつげを板クシ歯隙間１８に挿入しながらくしけずることができないので効果が低下する。
【図面の簡単な説明】
【００２０】
【図１】従来のマスカラブラシを例示した正面図である。
【図２】本発明によるマスカラブラシを示した正面図である。
【図３】本発明によるマスカラブラシを示した側面図である。
【図４】本発明によるマスカラブラシを示した平面図である。
【図５】本発明によるマスカラブラシを示した斜視図である。
【図６】本発明によるマスカラブラシを示した縦断面図である。
【図７】本発明による他の実施例を例示した板クシ歯の平面図である。
【図８】本発明によるまた他の実施例を例示した板クシ歯の平面図である。
【図１】
2008532615.tif 000003
【図２】
2008532615.tif 000004
【図３】
2008532615.tif 000005
【図４】
2008532615.tif 000006
【図５】
2008532615.tif 000007
【図６】
2008532615.tif 000008
【図７】
2008532615.tif 000009
【図８】
2008532615.tif 000010
【国際調査報告】
2008532615.tif 000011
2008532615.tif 000012